(57)【特許請求の範囲】
【請求項１】
橋梁や道路などの継合構造物を構成する構造体間に配設される目地であって、この目地は継合する前記構造体夫々の対向部位に設けられた一対の目地半体で構成され、この目地半体夫々の対向する面には突片が上下に並設された凹凸部が設けられており、前記構造体は前記目地半体の前記突片が凹凸嵌合して互いに接離方向にスライド移動可能に継合され、更に、前記目地半体のうちいずれか一方にして天板となる突片は他の突片よりも薄く形成されていることを特徴とする目地。
【請求項２】
請求項１記載の目地において、前記目地半体夫々に設けた前記凹凸部は柔軟性を有する部材で構成されていることを特徴とする目地。
【請求項３】
請求項２記載の目地において、前記柔軟性を有する部材はゴム製の部材であることを特徴とする目地。
【請求項４】
請求項１〜３いずれか１項に記載の目地により継合されていることを特徴とする継合構造物。
【発明の詳細な説明】
【０００１】
【発明の属する技術分野】
本発明は、橋梁や道路などの継合構造物及び該継合構造物を構成する構造体間に配設される目地に関するものである。
【０００２】
【従来の技術及び発明が解決しようとする課題】
従来から、例えば橋梁や道路などの複数の構造体22，23同志を継合して構成される継合構造物21は、各構造物22，23の隙間を埋め且つ該構造体22，23同志を継合する為、適度な柔軟性を有する目地24が用いられる。
【０００３】
この目地24は、継合構造物21に加わる力、例えば外方への引っ張り力Ｐ１（継合する構造体22，23同志を引き離そうとする力）、或いは、内方への圧縮力Ｐ２（継合する構造体22，23同志を近づけようとする力）に耐え得るものが一般的に採用される。
【０００４】
ところで、この従来から提案される目地24は、ゴム製であり、例えば図１に図示したブロックタイプのものや図４に図示したプレ−トタイプのものがあるが、これらは、実際に継合構造物21に加わった力を吸収する際、前者は、継合構造体21に外方への引っ張り力Ｐ１が作用した場合にはその上部が大きく凹み（図２参照）、継合構造体21に内方への圧縮力Ｐ２が作用した場合にはその上部が大きく膨らんでしまい（図３参照）、後者は、継合構造体21に外方への引っ張り力Ｐ１が作用した場合にはその中央部が上昇し（図５参照）、継合構造体21に内方への圧縮力Ｐ２が作用した場合にはその中央部が下降してしまう（図６参照）。尚、符号25は、構造体22，23間に目地や止水材などを配設する施工時に型枠や支持材として機能せしめるバックアップ材である。
【０００５】
従って、目地24が露出している箇所は勿論、図示したように目地24上に例えば舗装などがされていた場合には、その部分が隆起したり陥没したり亀裂が生じたりするなどの問題点が生じる。
【０００６】
本出願人は、上述した問題点に着目し、従来にない作用効果を発揮する画期的な目地及び継合構造物を開発した。
【０００７】
【課題を解決するための手段】
添付図面を参照して本発明の要旨を説明する。
【０００８】
に橋梁や道路などの継合構造物１を構成する構造体２，３間に配設される目地であって、この目地は継合する前記構造体２，３夫々の対向部位に設けられた一対の目地半体４，５で構成され、この目地半体４，５夫々の対向する面には突片４ａ’，５ａ’が上下に並設された凹凸部４ａ，５ａが設けられており、前記構造体２，３は前記目地半体４，５の前記突片４ａ’，５ａ’が凹凸嵌合して互いに接離方向にスライド移動可能に継合され、更に、前記目地半体４，５のうちいずれか一方にして天板となる突片は他の突片よりも薄く形成されていることを特徴とする目地に係るものである。
【０００９】
また、請求項１記載の目地において、前記目地半体４，５夫々に設けた前記凹凸部４ａ，５ａは柔軟性を有する部材で構成されていることを特徴とする目地に係るものである。
【００１０】
また、請求項２記載の目地において、前記柔軟性を有する部材はゴム製の部材であることを特徴とする目地に係るものである。
【００１１】
また、請求項１〜３いずれか１項に記載の目地により継合されていることを特徴とする継合構造物係るものである。
【００１２】
【発明の作用及び効果】
本発明は、例えば継合構造物１に外方への引っ張り力（継合する構造体２，３同志を引き離そうとする力）、或いは、内方への圧縮力（継合する構造体２，３同志を近づけようとする力）が加わった際、目地半体４，５同志は接離方向にスライド移動してこの力に対応することになる。
【００１３】
従って、前述した従来から提案される目地のような目地自体が大きな変形を起こすことがなく、よって、例えば目地の上方に位置する舗装等が隆起したり陥没したりすることが可及的に防止される。
【００１４】
以上のように、本発明は、従来にない画期的な作用効果を発揮し、極めて商品価値の高いものになる。
【００１５】
【発明の実施の形態】
図面は本発明の一実施例を図示したものであり、以下に説明する。
【００１６】
本実施例は、橋梁や道路などの継合構造物１を構成する構造体２，３間に配設される目地Ａである。
【００１７】
具体的には、この目地Ａは、構造体２，３夫々に付設される一対の目地半体４，５で構成されている。
【００１８】
この目地半体４，５は、図７，８に図示したように夫々適度な柔軟性を有する合成樹脂製の部材（ゴム製部材）を型成形したものである。
【００１９】
また、目地半体４，５は、その内面に突片４ａ’，５ａ’を並設した櫛刃状の凹凸部４ａ，５ａが設けられている。
【００２０】
この凹凸部４ａ，５ａは、対向した状態で凹凸嵌合するように構成され、この凹凸嵌合した状態で互いに接離方向（図８中ａ方向）に所定距離だけスライド移動可能となるように構成されている。
【００２１】
以上の構成からなる目地半体４，５は、構造体２，３内に埋設される補強筋９ａと、該構造体２，３の端部から露出する鋼板９ｂとから成る継合金具９に直接加硫接着したり、接着剤やボルトなどを介して止着され、よって、この目地半体４，５を介して継合される構造体２，３同志は接離移動可能となる。
【００２２】
尚、本実施例は、例えば左右方向、或いは、上下方向という一直線方向への力の他にも、ねじれ方向への力など種々の方向へ力が加わる橋梁や道路などの継合構造物１を対象とした目地Ａであることを考慮し、それに対応すべく適度な柔軟性を有する合成樹脂製の部材で構成したが、単純に一直線方向（左右方向或いは上下方向など）への力に対応すれば良い場面で使用される目地Ａであれば、硬質の部材で構成しても良い。即ち、従来から目地Ａは、その構造上、専ら適度な柔軟性を有する部材で構成されていたが、本実施例に係る目地Ａの構成であれば硬質の部材を採用することが可能となるなど、部材の選択の幅が広がる。
【００２３】
また、図10，11に図示した目地Ａは、金属プレ―ト６に所定間隔を介して樹脂製の板状部材７を並設して凹凸部４ａ，５ａを形成した目地半体４，５から成るタイプであり、特に図11は、この目地Ａを構成する天板と底板とを薄く形成している。これは、構造体２，３に引っ張り力が作用して目地半体４，５同志が離反方向へスライド移動した際、目地Ａの上部に生じる凹み量（体積）を可及的に減らすためである。
【００２４】
以上の構成から、継合構造物１の施工に際し、予め端部に目地半体４，５が付設された構造体２，３を対設し、目地半体４，５同志を凹凸嵌合させることで継合する。この作業を順次行い、複数の構造体同志を継合することで継合構造物１は構築される。
【００２５】
符号８はアスファルト層である。
【００２６】
本実施例は上述のように構成したから、例えば継合構造物１に外方への引っ張り力（継合する構造体２，３同志を引き離そうとする力）、或いは、内方への圧縮力（継合する構造体２，３同志を近づけようとする力）が加わった際、目地半体４，５同志は接離方向にスライド移動してこの力に対応することになる。
【００２７】
よって、本実施例によれば、従来から提案される目地のような目地Ａ自体が大きな変形を起こすことがない（内部応力が無い）から、この目地Ａが配設される部分が隆起したり、陥没したり、或いは、亀裂が生じたりすることが可及的に防止される。
【００２８】
また、本実施例は、目地半体４，５に設けた突片４ａ’，５ａ’から成る凹凸部４ａ，５ａ同志が凹凸嵌合する構成であるから、この突片４ａ’，５ａ’同志の重なり方向への強度（良好な対荷性能）が得られることになり、しかも、この突片４ａ’，５ａ’の段数の設定により目地Ａの硬度の選択、調整が容易に行えることになる。
【００２９】
また、本実施例は、目地Ａを構成する一対の目地半体４，５が左右対称であるから極めて量産性に秀れることになる。
【００３０】
尚、本発明は、本実施例に限られるものではなく、各構成要件の具体的構成は適宜設計し得るものである。
【図面の簡単な説明】
【図１】  従来から提案される目地の説明断面図である。
【図２】  従来から提案される目地の説明断面図である。
【図３】  従来から提案される目地の説明断面図である。
【図４】  従来から提案される目地の説明断面図である。
【図５】  従来から提案される目地の説明断面図である。
【図６】  従来から提案される目地の説明断面図である。
【図７】  本実施例の説明図である。
【図８】  本実施例の概略動作説明図である。
【図９】  本実施例の説明図である。
【図１０】  別実施例の説明図である。
【図１１】  別実施例の説明図である。
【図１２】  本実施例に係る目地を用いて構築される継合構造物の説明断面図である。
【符号の説明】
１  継合構造物
２  構造体
３  構造体
４  目地半体
４ａ  凹凸部
４ａ'  突片
５  目地半体
５ａ  凹凸部
５ａ'  突片
【図１】
0003949426.tif 000002
【図２】
0003949426.tif 000003
【図３】
0003949426.tif 000004
【図４】
0003949426.tif 000005
【図５】
0003949426.tif 000006
【図６】
0003949426.tif 000007
【図７】
0003949426.tif 000008
【図８】
0003949426.tif 000009
【図９】
0003949426.tif 000010
【図１０】
0003949426.tif 000011
【図１１】
0003949426.tif 000012
【図１２】
0003949426.tif 000013